(57)【要約】【課題】未受信のカラオケデータの配信要求等に要する通信料がユーザの負担にならないように、かつ、低コストで効率よく未受信のカラオケデータを再配信できる通信カラオケシステムおよび通信カラオケシステムにおけるデータ再送方法を提供する。【解決手段】カラオケデータを配信するメインホスト（ホストコンピュータ１０１，ＷＷＷサーバ）と、該配信されたカラオケデータを記憶すると共に管轄するカラオケ端末装置（１０７）にカラオケデータを配信する各地に設置されたサブホスト（中継装置１０５）と、前記サブホストからカラオケデータの配信を受信する店舗等に設置されたカラオケ端末装置（１０７）と、前記メインホストに未受信のカラオケデータの配信要求をインターネット１０４を介して行う携帯端末装置（２０１）とからなる。【選択図】　図１
2004125838.tif 000002
【特許請求の範囲】
【請求項１】
カラオケデータを配信するメインホストと、該配信されたカラオケデータを記憶すると共に管轄するカラオケ端末装置にカラオケデータを配信する各地に設置されたサブホストと、前記サブホストからカラオケデータの配信を受信する店舗等に設置されたカラオケ端末装置と、前記メインホストに未受信のカラオケデータの配信要求を行う携帯端末装置とからなる通信カラオケシステムであって、
前記携帯端末装置は、配信要求を行うためにインターネットを介して前記メインホストに接続し、表示されたメインホストのホームページ上に、配信先のカラオケ端末装置の識別番号，配信を希望するカラオケデータの識別番号等からなる配信要求を入力して、送信する機能を備え、
前記メインホストは、前記受信した配信要求を解析して、配信先のカラオケ端末装置を管轄するサブホストに要求されたカラオケデータの配信を指示する機能を備え、
前記サブホストは、前記メインホストからの配信要求に基づいて、カラオケデータを配信先のカラオケ端末装置に送信する機能を備えたことを特徴とする通信カラオケシステム。
【請求項２】
カラオケデータを配信するメインホストと、該配信されたカラオケデータを記憶すると共に管轄するカラオケ端末装置にカラオケデータを配信する各地に設置されたサブホストと、前記サブホストからカラオケデータの配信を受信する店舗等に設置されたカラオケ端末装置と、前記メインホストに未受信のカラオケデータの配信要求を行う携帯端末装置とからなる通信カラオケシステムにおけるデータ再送方法であって、
カラオケ端末装置に未受信のカラオケデータがある場合、前記携帯端末装置からインターネットを介して前記メインホストに接続し、表示されたメインホストのホームページ上に、配信先のカラオケ端末装置の識別番号，配信を希望する未受信のカラオケデータの識別番号，メールアドレス等からなる配信要求を入力し、
前記メインホストは、前記受信した配信要求を解析して、配信先のカラオケ端末装置を管轄するサブホストに要求されたカラオケデータの配信を指示すると共に、前記メールアドレスに対して、配信要求を受け付けたことを送信し、
前記サブホストは、前記メインホストからの配信要求に基づいて、カラオケデータを配信先のカラオケ端末装置に送信することで、未受信のカラオケデータをカラオケ端末装置に再送することを特徴とする通信カラオケシステムにおけるデータ再送方法。
【発明の詳細な説明】
【０００１】
【発明の属する技術分野】
本発明は、通信カラオケシステムおよび通信カラオケシステムにおけるデータ再送方法に関するものである。
【０００２】
【従来の技術】
従来、通信カラオケシステムは、カラオケデータの配信を行う配信センターに設置されたホストコンピュータと、配信されたカラオケデータを記憶して、ユーザのリクエストに応じて再生を行う店舗等に設置されたカラオケ端末装置から構成されている。ホストコンピュータは、カラオケ端末装置側で、配送中のデータがすべて受信できるように、カラオケデータをサイクリックに配信している（例えば、特許文献１参照）。
【０００３】
しかしながら、カラオケデータの配信は、所定の時間の配信が終了すると、別の新しいカラオケデータの配信に切換わるため、カラオケ端末装置の電源がＯＦＦされていた場合や、たまたまカラオケ端末装置が使用中であって受信が出来なかった場合など、何らかの原因により、受信できなかったカラオケデータが発生する場合がある。
【０００４】
このような未受信の配信済みカラオケデータをカラオケ端末装置に記憶させる場合、従来、サービスマンが各カラオケ端末装置が設置されている場所に出向いて、未受信のカラオケデータを確認して、そのカラオケデータを補充していたが、この補充は、サービスマンが携帯する保守用パソコンからカラオケデータを入れる方法や、カラオケ端末装置からホストコンピュータに電話回線を介してカラオケデータの配信要求を発信して、ホストコンピュータから配信して貰う方法や、電話等で配信センターのホスト管理者に連絡して未受信のカラオケデータをカラオケ端末装置に送信してもらう方法などで対応していた。
【０００５】
【特許文献１】
特開平８−１１０７８５号
【０００６】
【発明が解決しようとする課題】
サービスマンの携帯する保守パソコンを使用する方法では、保守用パソコンが必要であり、保守に要する経費が高くなるという問題があった。また、カラオケ端末装置から電話回線を介して配信要求を発信する方法では、電話回線は各店舗の電話回線を利用させてもらう場合ことになるため、通信料がユーザ負担になってしまうという問題があった。また、サービスマンが携帯電話等でホスト管理者に連絡する方法では、ホスト管理者が常に配信センターに待機していなければならないという問題があった。
【０００７】
本発明はこのような事情に鑑みなされたものであり、未受信のカラオケデータの配信要求等に要する通信料がユーザの負担にならないように、かつ、低コストで効率よく未受信のカラオケデータを再配信できる通信カラオケシステムおよび通信カラオケシステムにおけるデータ再送方法を提供することを目的とする。
【０００８】
【課題を解決するための手段】
本発明の第１発明に係る通信カラオケシステムは、カラオケデータを配信するメインホスト（ホストコンピュータ１０１，ＷＷＷサーバ）と、該配信されたカラオケデータを記憶すると共に管轄するカラオケ端末装置（１０７）にカラオケデータを配信する各地に設置されたサブホスト（中継装置１０５）と、前記サブホストからカラオケデータの配信を受信する店舗等に設置されたカラオケ端末装置（１０７）と、前記メインホストに未受信のカラオケデータの配信要求を行う携帯端末装置（２０１）とからなる通信カラオケシステムであって、前記携帯端末装置は、配信要求を行うためにインターネット（１０４）を介して前記メインホストに接続し、表示されたメインホストのホームページ上に、配信先のカラオケ端末装置の識別番号，配信を希望するカラオケデータの識別番号等からなる配信要求を入力して、送信する機能を備え、前記メインホストは、前記受信した配信要求を解析して、配信先のカラオケ端末装置を管轄するサブホストに要求されたカラオケデータの配信を指示する機能を備え、前記サブホストは、前記メインホストからの配信要求に基づいて、カラオケデータを配信先のカラオケ端末装置に送信する機能を備えたことを特徴とする。
【０００９】
本発明の第２発明に係る通信カラオケシステムにおけるデータ再送方法は、カラオケデータを配信するメインホスト（ホストコンピュータ１０１，ＷＷＷサーバ１０３）と、該配信されたカラオケデータを記憶すると共に管轄するカラオケ端末装置（１０７）にカラオケデータを配信する各地に設置されたサブホスト（中継装置１０５）と、前記サブホストからカラオケデータの配信を受信する店舗等に設置されたカラオケ端末装置（１０７）と、前記メインホストに未受信のカラオケデータの配信要求を行う携帯端末装置（２０１）とからなる通信カラオケシステムにおけるデータ再送方法であって、　カラオケ端末装置に未受信のカラオケデータがある場合、前記携帯端末装置からインターネットを介して前記メインホストに接続し、指示されたメインホストのホームページ上に、配信先のカラオケ端末装置の識別番号，配信を希望する未受信のカラオケデータの識別番号，メールアドレス等からなる配信要求を入力し、前記メインホストは、前記受信した配信要求を解析して、配信先のカラオケ端末装置を管轄するサブホストに要求されたカラオケデータの配信を指示すると共に、前記メールアドレスに対して、配信要求を受け付けたことを送信し、前記サブホストは、前記メインホストからの配信要求に基づいて、カラオケデータを配信先のカラオケ端末装置に送信することで、未受信のカラオケデータをカラオケ端末装置に再送する。
ことを特徴とする。
【００１０】
【発明の実施の形態】
本発明の実施の形態について図面を参照しながら詳細に説明する。尚、図中同一または相当部分には同一符号を付してその説明は繰返さない。
【００１１】
図１は、本発明による通信カラオケシステム１００のシステム構成図であり、配信用のカラオケデータを管理するホストコンピュータ１０１と、カラオケ端末装置からのカラオケデータの配信要求を受信するＷＷＷ（ｗｏｒｌｄ　ｗｉｄｅ　ｗｅｂ）サーバ１０３（前記ホストコンピュータ１０１とＷＷＷサーバ１０３でメインホストを構成する）と、ホストコンピュータ１０１とＷＷＷサーバ１０３を接続するＬＡＮ（ｌｏｃａｌ　ａｒｅａ　ｎｅｔｗｏｒｋ）１０２と、前記ホストコンピュータ１０１から配信されたカラオケデータを記憶すると共に公衆回線網１０６を介して店舗等に設置された管轄のカラオケ端末装置１０７（１０７ａ，１０７ｂ，１０７ｃ，・・・）へカラオケデータを配信する前記カラオケ端末装置１０７の近傍の適所に配置された中継装置１０５と、該中継装置１０５へホストコンピュータ１０１がカラオケデータを配信する場合に使用するインターネット１０４と、サービスマンが未受信のカラオケデータの配信要求を行う携帯電話機やＰＤＡ（ｐｅｒｓｏｎａｌ　ｄｉｇｉｔａｌ　ａｓｓｉｓｔａｎｃｅ）等のインターネット接続機能を備えた携帯端末装置２０１から構成される。
【００１２】
ホストコンピュータ１０１は、配信するカラオケデータを管理しているサーバであり、中継装置１０５は、通信費を抑えるために全国各地の適所に配置され、ホストコンピュータから配信されるデータを全て保持している。
【００１３】
次に、カラオケ端末装置１０７ｃにおいて未受信のカラオケデータが発生した場合に、サービスマンが未受信のカラオケデータをカラオケ端末装置１０７ｃに再送するまでの処理の流れを図４のフローチャート並びに図２及び図３の表示画面図を参照して説明する。
【００１４】
図２はカラオケ端末装置１０７ｃに表示させた受信済みカラオケデータの確認画面例を示した図であり、図３は携帯端末装置２０１からカラオケデータの配信を要求する際に携帯端末装置２０１に表示されるＷＷＷサーバ１０３のホームページ画面例を示した図である。
【００１５】
未受信のカラオケデータの有無は、店舗からのクレームにより、又は、サービスマンによるメンテナンス等の際に気付き、又は、確認される（ステップ１、以下、ステップをＳと略記する）。
【００１６】
サービスマンは、カラオケ端末装置１０７ｃのサービス機能を立ち上げて（Ｓ２）、表示画面上に図２に示す受信済みカラオケデータの識別番号を表示させて（Ｓ３）、配信済みカラオケデータの識別番号一覧表等と照合して、未受信のカラオケデータを確認する（Ｓ４）。尚、未受信のカラオケデータの確認は、ホストコンピュータ１０１から配信される配信済みカラオケデータ一覧リストと照合することで、自動的に行うようにしてもよい。
【００１７】
図２の表示画面から未受信のカラオケデータは、Ｎｏ．１０１０１から１０１０４，１０１５１であることがわかる。
【００１８】
次に、サービスマンは携帯端末装置２０１でインターネット１０４からＷＷＷサーバ１０３に接続して（Ｓ５）、図３に示した未受信カラオケデータの配信要求画面を表示させる（Ｓ６）。サービスマンは図３の配信要求画面に、正当なサービスマンによる要求であることを示す携帯端末装置ＩＤ（メールアドレス、電話番号または個別ＩＤであり、図３では、メールアドレス：ｘｘｘ＠ｓａｎｙｏ．ｃｏ．ｊｐ）、配信先のカラオケ端末ＩＤ（カラオケ端末装置１０７ｃの固有の番号で電話番号または個別ＩＤ、図３では、電話番号：０５８−１２３−４５６７）、受信済みカラオケデータの最終識別番号（図３では、１０２００）および未受信のカラオケデータの識別番号（図３では、Ｎｏ．１０１０１から１０１０４，１０１５１）を配信要求識別番号の入力欄に入力する（Ｓ７）。
【００１９】
そして、サービスマンは、入力事項を確認して、ＯＫであれば、送信ボタンを押す（Ｓ８）。これにより、ＷＷＷサーバ１０３は、前記配信要求を受け取り（Ｓ９）、該配信要求をＬＡＮ１０２を介してホストコンピュータ１０１に対して送信する（Ｓ１０）と共に、前記入力された携帯端末装置２０１のメールアドレスへ電子メールにより配信要求を受け付けたことを通知する（Ｓ１１）。
【００２０】
ホストコンピュータ１０１は、前記配信要求を受け取ると（Ｓ１２）、該配信要求の内容を解析し（Ｓ１３）、通常の配信と同じ動作で、指定されたカラオケ端末装置１０７ｃを管理している中継装置１０５に配信要求識別番号で指定されたカラオケデータの配信を指示する（Ｓ１４）。
【００２１】
中継装置１０５は公衆回線網１０６を介して前記指定されたカラオケ端末装置１０７ｃへ接続し（Ｓ１５）、保持しているカラオケデータから指定された識別番号のカラオケデータを送信する（Ｓ１６）。
【００２２】
カラオケ端末装置１０７ｃでは、前記配信されたカラオケデータを受信し、記憶する（Ｓ１７）。
【００２３】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００２４】
【発明の効果】
以上述べたように本発明によれば、未受信のカラオケデータの配信要求等に要する通信料がユーザの負担にならないように、かつ、低コストで効率よく未受信のカラオケデータを再配信できる通信カラオケシステムおよび通信カラオケシステムにおけるデータ再送方法を提供することができる。
【図面の簡単な説明】
【図１】本発明の通信カラオケシステム１００のシステム構成図である。
【図２】カラオケ端末装置１０７ｃに表示させた受信済みカラオケデータの確認画面を示した図である。
【図３】携帯端末装置２０１からカラオケデータの配信を要求する際に携帯端末装置２０１に表示された画面例を示した図である。
【図４】カラオケ端末装置１０７ｃで、未受信のカラオケデータが発生した場合に、サービスマンが未受信のカラオケデータをカラオケ端末装置１０７ｃに再送するまでの処理の流れを示したフローチャートである。
１００　　通信カラオケシステム
１０１　　ホストコンピュータ（メインホスト）
１０２　　ＬＡＮ
１０３　　ＷＷＷサーバ（メインホスト）
１０４　　インターネット
１０５　　中継装置（サブホスト）
１０６　　公衆回線網
１０７　　カラオケ端末装置
２０１　　携帯端末装置
【図１】
2004125838.tif 000003
【図２】
2004125838.tif 000004
【図３】
2004125838.tif 000005
【図４】
2004125838.tif 000006